(57)【特許請求の範囲】
【請求項１】
リクライニング可能な背凭れと、
前記背凭れの背凭れ面の上方に設けられる頭部支持部の前面にヘッドレスト本体を移動可能に配置するヘッドレスト装置と、を備え、
前記ヘッドレスト本体は、該ヘッドレスト本体の上部を形成する第一頭部支持部と、前記第一頭部支持部の下方に連なり、前記第一頭部支持部よりも前面側を隆起させた第二頭部支持部と、を備え、
前記ヘッドレスト装置は、前記ヘッドレスト本体から延び、前記頭部支持部の頂部を跨いで後方側に垂下する垂下ベルトと、前記垂下ベルトの下端部に保持されるバランスウェイトと、を有し、
前記頂部における前記垂下ベルトと接触する頂部側接触面、および前記垂下ベルトにおける前記頂部と接触するベルト側接触面の少なくとも一方は、低摩擦材で形成されている、椅子装置。
【請求項２】
前記第一頭部支持部は、着座者の後頭部に沿うように凹状に形成され、
前記第二頭部支持部は、着座者の頸椎部に沿うように凸状に形成されている、請求項１に記載の椅子装置。
【請求項３】
前記ヘッドレスト本体における前記頭部支持部と接触する本体側接触面、および前記頭部支持部における前記ヘッドレスト本体と接触する支持部側接触面の少なくとも一方は、低摩擦材で形成されている、請求項１又は２に記載の椅子装置。
【請求項４】
前記頭部支持部の左右両側に、前面側に突出する左右一対の突出部を備え、前記左右一対の突出部は、前記ヘッドレスト本体の高さ調整時の移動を案内可能である、請求項１から３の何れか一項に記載の椅子装置。
【発明の詳細な説明】
【技術分野】
【０００１】
本発明は、リクライニング可能かつヘッドレスト付きの椅子装置に関する。
【背景技術】
【０００２】
下記特許文献１には、リクライニング可能な椅子装置において、背凭れ上部の頭部支持部の前面にヘッドレスト本体を移動可能に配置し、このヘッドレスト本体から延びて背凭れの頂部を跨ぐベルト部材を設けるとともに、ベルト部材の先端にバランスウェイトを設けたものが開示されている。これは、面ファスナーの着脱によりヘッドレスト本体を高さ調整する場合と比べて、着座者が着座したままでもヘッドレスト本体を手で押し上げたり引き下げることにより、容易にヘッドレスト本体の高さ調整を行うことを可能としたものである。
【先行技術文献】
【特許文献】
【０００３】
【特許文献１】特開２００９−１９５２６２号公報
【発明の概要】
【発明が解決しようとする課題】
【０００４】
リクライニング可能な椅子装置では、背凭れの傾動時に背凭れと着座者の身体との間に位置ずれが生じるため、ヘッドレスト本体の高さ調整は容易であることが好ましい。
しかし、病院での点滴治療、透析および療養等に使用する椅子装置の場合、着座者が身体も腕も動かせない状況が有り得るため、ヘッドレスト本体の高さ調整を容易にするさらなる工夫が要望されている。
【０００５】
そこで本発明は、頭部支持部の前面にヘッドレスト本体を移動可能に備えた椅子装置において、背凭れの傾動時におけるヘッドレスト本体の高さ調整の容易性を高めることを目的とする。
【課題を解決するための手段】
【０００６】
上記課題を解決するために、本発明の椅子装置は、リクライニング可能な背凭れと、前記背凭れの背凭れ面の上方に設けられる頭部支持部の前面にヘッドレスト本体を移動可能に配置するヘッドレスト装置と、を備え、前記ヘッドレスト本体は、該ヘッドレスト本体の上部を形成する第一頭部支持部と、前記第一頭部支持部の下方に連なり、前記第一頭部支持部よりも前面側を隆起させた第二頭部支持部と、を備えている。
この構成によれば、ヘッドレスト本体の下部における前面側を隆起させた第二頭部支持部により、着座者が自身の手を用いることなく、ヘッドレスト本体を頭部支持部の前面に沿って高さ調整することができる。すなわち、第二頭部支持部が着座者の後頭部と背中上端との間の凹部に入り込んで頸椎部を支持した状態でヘッドレスト本体を使用すれば、背凭れの傾動時に背凭れと着座者の身体との間に位置ずれが生じても、着座者が第二頭部支持部を後頭部の隆起で押し下げる又は背中上端の隆起で押し上げることが可能となり、背凭れの傾動時における背凭れと着座者の身体との位置ずれに追従してヘッドレスト本体を適正高さに容易に調整することができる。
【０００７】
また、上記椅子装置において、前記第一頭部支持部は、着座者の後頭部に沿うように凹状に形成され、前記第二頭部支持部は、着座者の頸椎部に沿うように凸状に形成されている構成としてもよい。
この場合、第一頭部支持部および第二頭部支持部が着座者の後頭部および頸椎部に沿うように滑らかに連続して形成されるため、着座者の感触を良好にすることができる。
【０００８】
また、上記椅子装置において、前記ヘッドレスト本体における前記頭部支持部と接触する本体側接触面、および前記頭部支持部における前記ヘッドレスト本体と接触する支持部側接触面の少なくとも一方は、低摩擦材で形成されている構成としてもよい。
この場合、ヘッドレスト本体の本体側接触面と頭部支持部の支持部側接触面との間には、着座者の頭部の支持反力によって垂直抗力が作用するが、これらの接触面の少なくとも一方を滑り性のある生地で形成することで、接触面間の摩擦を抑えてヘッドレスト本体のスムーズな高さ調整を実現することができる。
【０００９】
また、上記椅子装置において、前記ヘッドレスト装置は、前記ヘッドレスト本体から延び、前記頭部支持部の頂部を跨いで後方側に垂下する垂下ベルトと、前記垂下ベルトの下端部に保持されるバランスウェイトと、を有し、前記頂部における前記垂下ベルトと接触する頂部側接触面、および前記垂下ベルトにおける前記頂部と接触するベルト側接触面の少なくとも一方は、低摩擦材で形成されている構成としてもよい。
この場合、ヘッドレスト本体とバランスウェイトとを釣り合わせる垂下ベルトのベルト側接触面と頭部支持部の頂部側接触面とは、ヘッドレスト本体およびバランスウェイトの重量により互いに密着するが、これらの接触面の少なくとも一方を滑り性のある生地で形成することで、接触面間の摩擦を抑えてヘッドレスト本体のスムーズな高さ調整を実現することができる。
【００１０】
また、上記椅子装置において、前記頭部支持部の左右両側に、前面側に突出する左右一対の突出部を備え、前記左右一対の突出部は、前記ヘッドレスト本体の高さ調整時の移動を案内可能である構成としてもよい。
この場合、着座者がヘッドレスト本体を視認せずに該ヘッドレスト本体の高さ調整を行う際にも、ヘッドレスト本体の左右のずれを抑えることができる。
【発明の効果】
【００１１】
本発明によれば、頭部支持部の前面にヘッドレスト本体を移動可能に備えた椅子装置において、背凭れの傾動時におけるヘッドレスト本体の高さ調整の容易性を高めることができる。
【図面の簡単な説明】
【００１２】
【図１】本発明の椅子装置を前面側から見た斜視図である。
【図２】上記椅子装置を後面側から見た斜視図である。
【図３】上記椅子装置の側面図である。
【図４】図３の要部拡大図である。
【図５】上記椅子装置のリクライニング時の側面図である。
【図６】上記椅子装置のヘッドレスト装置の裏面側を示す斜視図である。
【発明を実施するための形態】
【００１３】
以下、本発明の実施形態について図面を参照して説明する。なお、以下の説明における前後、左右及び上下の向きは、椅子の座体上で背凭れに背を向けて着座した着座者から見た正面側を「前」、その逆側（背面側）を「後」とし、上下左右も前記着座者から見た向きと同一とする。また、図中において、矢印ＵＰは上方を示し、矢印ＦＲは前方を示し、ＬＨは左方を示している。
【００１４】
図１〜図３に示すように、本実施形態の椅子装置１は、例えば医療や介護等に用いられるリクライニング椅子であり、長時間着座使用する際にも着座者が様々な姿勢を取ることができるように、例えば電動により着座者が椅子各部の姿勢及び位置等を任意に調整可能とされる。
【００１５】
椅子装置１は、床面Ｆ上に設置される不図示のベースフレームと、該ベースフレームに昇降可能に支持される椅子本体３と、を備える。椅子本体３は、座体４、背凭れ５、下腿受け部６及び左右肘置き７を備えている。
【００１６】
座体４は、平面視矩形状の略水平な座面８（上面）を形成する。座体４の左右側方には、左右側板９が配置される。左右側板９は、側面視で上辺を前方に変位させた概略平行四辺形状に形成される。これら左右側板９の上辺部の間に座体４が配置される。左右側板９における前傾した前辺部の間には、格納位置にある下腿受け部６が配置される。座体４、左右側板９及び下腿受け部６は、ボックス状の機構収容部１０を形成する。機構収容部１０の内部には、椅子本体３を昇降させる昇降装置、背凭れ５をリクライニングさせるリクライニング機構等の各種駆動機構が収容される（何れも不図示）。
【００１７】
左右側板９の外側には、左右肘置き７の支持板１１が重なるように配置される。支持板１１は、側面視で上辺が広い概略逆台形状に形成される。支持板１１の上辺部には、略水平な肘置き本体１２が支持される。支持板１１及び肘置き本体１２を含む肘置き７は、鉛直方向に対して前傾した方向に沿って昇降可能とされる。図５において、下降した肘置き７を実線で示し、上昇した肘置き７を鎖線で示す。
【００１８】
下腿受け部６は、座体４の前下方で左右側板９の前辺部間に挟まれる格納位置と、座体４の前方で略水平に配置されるレッグアップ位置（図５参照）と、の間で傾動可能とされる。下腿受け部６は、機構収容部１０の前部に支持され、機構収容部１０内の駆動機構の作動により、前記格納位置とレッグアップ位置との間で傾動可能である。
【００１９】
背凭れ５は、座体４の後上方で起立する起立位置と、座体４の後方で略水平に配置されるリクライニング位置（図５参照）と、の間で傾動可能とされる。背凭れ５は、機構収容部１０の後部に支持され、機構収容部１０内のリクライニング機構の作動により、前記起立位置とリクライニング位置との間で傾動可能である。
【００２０】
図３中符号Ｃ１は背凭れ５の回動中心を示し、符号Ｃ２は着座者Ｔの大腿部の付け根である股関節の可動中心を示す。股関節の可動中心Ｃ２は、側面視で背凭れ５の回動中心Ｃ１の上前方にずれている。このため、背凭れ５をリクライニングさせると、着座者Ｔの上体は背凭れ５に対して該背凭れ５の基端側（回動中心Ｃ１側）に変位し、背凭れ５を起立させると、着座者Ｔの上体は背凭れ５に対して該背凭れ５の先端側（回動中心Ｃ１と反対側）に変位する。
【００２１】
背凭れ５は、着座者Ｔの背を支持する背凭れ面１３（前面）よりも上方に延出し、背凭れ面１３の上方に頭部支持部１４を一体形成する。頭部支持部１４の前面は頭部支持面１６とされ、この頭部支持面１６の直前位置が着座者Ｔの頭部位置ｈｐとなる。本実施形態において、頭部支持部１４は背凭れ５の一部（上部）であるともいえる。
【００２２】
頭部支持部１４の左右側部には、前方かつ左右外側に向けて起立する左右一対の側方遮蔽部１５が一体形成される。これにより、着座者Ｔの頭部側方の視界が適度に遮られるとともに、同方向からの視線が適度に遮られる。左右の側方遮蔽部１５には、頭部位置ｈｐに向けて音声を発するスピーカ１７が内蔵される。
【００２３】
椅子装置１は、背凭れ５を起立位置とし、下腿受け部６を格納位置とすることで、椅子としての態様となる（図３参照）。このとき、肘置き７は上昇位置にあり、この肘置き７上には、着座姿勢にある着座者Ｔの肘及び前腕が載置され、透析等の医療行為が継続可能とされる。
また、椅子装置１は、背凭れ５をリクライニング位置とし、下腿受け部６をレッグアップ位置とすることで、座体４、背凭れ５及び下腿受け部６を略水平に連ねたベッドとしての態様となる（図５参照）。このとき、肘置き７は下降位置にあり、この肘置き７上には、横臥姿勢にある着座者Ｔの肘及び前腕が載置され、リクライニング前の医療行為が継続可能とされる。
【００２４】
このように、椅子装置１は、着座者Ｔの姿勢を着座姿勢から横臥姿勢まで様々な姿勢に変化させることができる。なお、背凭れ５、下腿受け部６及び肘置き７は、個々に任意の位置調整を可能としてもよいが、着座者Ｔの前腕に透析又は点滴治療といった医療行為が施される場合、背凭れ５のリクライニングと肘置き７の昇降とは連動して行われることが好ましい。透析等の医療行為は長時間に亘るため、患者（着座者Ｔ）にとって長時間同じ姿勢をとり続けることは負担となる。そこで、背凭れ５等の位置調整により患者の身体の姿勢を変えることで、患者の負担を軽減することができる。
【００２５】
図１〜図５を参照し、椅子装置１の頭部支持部１４には、背凭れ５とは別体のヘッドレスト装置２０が配置される。
ヘッドレスト装置２０は、頭部支持面１６上に高さ調整可能（上下移動可能）に配置されるヘッドレスト本体２１と、ヘッドレスト本体２１の裏面（背面、頭部支持面１６との接触面）の上端から頭部支持面１６に沿って上方（頭部支持部１４の先端側）に延び、頭部支持部１４の頂部１４ａを跨いで後方側に至って垂れ下がる垂下ベルト３１と、垂下ベルト３１の下端部に保持されるバランスウェイト３２と、を備える。
【００２６】
ヘッドレスト装置２０は、着座者Ｔの体格、姿勢および好み等に応じたヘッドレスト本体２１の高さ調整を可能とする。バランスウェイト３２は、ヘッドレスト本体２１と垂下ベルト３１を介して重量の釣り合いをとることで、背凭れ５を起立状態とした際にもヘッドレスト本体２１の落下を抑止する。垂下ベルト３１は、頭部支持部１４の頂部１４ａに設けられたループ状のベルト通し３３に通される。
【００２７】
ヘッドレスト本体２１は、成形されたクッション体を表皮材で被覆して形成される。ヘッドレスト本体２１は、頭部支持面１６に沿って平坦に形成される裏面側に対し、着座者Ｔの頭部位置ｈｐに対向する前面側が凹凸状に形成される。具体的に、ヘッドレスト本体２１の前面側は、着座者Ｔの頭部位置ｈｐの後方に配置されるとともに、ヘッドレスト本体２１の上部を形成する第一頭部支持部２２と、第一頭部支持部２２の下方に連なり着座者Ｔの頸椎部ｋ１の後方に配置されるとともに、頸椎部ｋ１を支持するべく第一頭部支持部２２よりも前面側を隆起させた第二頭部支持部２３と、を備えている。
【００２８】
バランスウェイト３２は、例えば左右方向に沿う金属製の円棒であり、垂下ベルト３１の下端部に形成された袋状部３１ａに左右方向で挿入されて保持される。バランスウェイト３２は、垂下ベルト３１の下端部がベルト通し３３から抜け出ることを抑止する抜け止めとしても機能する。これにより、ヘッドレスト本体２１の頭部支持面１６上での最下端位置が規定される。一方、ヘッドレスト本体２１の最上端位置は、ヘッドレスト本体２１がベルト通し３３に突き当たることで規定される。
【００２９】
ヘッドレスト本体２１を頭部支持部１４から取り外すには、バランスウェイト３２を引き抜いて垂下ベルト３１をベルト通し３３から引き抜けばよい。また、ヘッドレスト本体２１の不使用時には、ヘッドレスト本体２１を頭部支持部１４の背面側に移動させてベルト通し３３を利用して吊り下げておくこともできる（図６参照）。
【００３０】
バランスウェイト３２は、ヘッドレスト本体２１と同等の重量とした場合、背凭れ５が起立して頭部支持面１６が略垂直となる状態では、ヘッドレスト本体２１の変位を規制するが、背凭れ５がリクライニングして頭部支持面１６が倒れるに従い、バランスウェイト３２の自重による鉛直下向きの力が勝り、ヘッドレスト本体２１が上方に引き上げられる。このとき、垂下ベルト３１が背凭れ５の背面から離間するので、垂下ベルト３１と背凭れ５との間の摩擦による位置規制力も低下している。このため、本実施形態では、バランスウェイト３２をヘッドレスト本体２１よりも軽量に設定することで、リクライニング時にはヘッドレスト本体２１が上方移動し難くし、背凭れ５の起立時には垂下ベルト３１と背凭れ５との間の摩擦も利用してヘッドレスト本体２１が下方移動し難くしている。
【００３１】
第一頭部支持部２２は、着座者Ｔの後頭部ｈ１に沿うように前面側を凹状にして形成されている。第二頭部支持部２３は、着座者Ｔの後頭部ｈ１と背中上端ｓ１との間の頸椎部ｋ１に沿うように前面側を凸状にして形成されている。第二頭部支持部２３は、着座者Ｔの後頭部ｈ１と背中上端ｓ１との間の凹部に入り込むように頸椎部ｋ１を支持し、着座者Ｔの首の負担を軽減するとともに、背凭れ５の傾動時に着座者Ｔの身体に合わせてヘッドレスト本体２１を移動可能とする。
【００３２】
すなわち、第二頭部支持部２３は、着座者Ｔの後頭部ｈ１の隆起に押し下げられる、又は背中上端ｓ１の隆起に押し上げられることで、着座者Ｔが自身の手を用いることなく、ヘッドレスト本体２１を頭部支持面１６上で上下動させることを可能とする。このとき、頭部支持部１４の左右の側方遮蔽部１５は、ヘッドレスト本体２１の上下動を案内するガイドとしても機能し、着座者Ｔがヘッドレスト本体２１を視認しない状況でもヘッドレスト本体２１の左右の位置ずれを抑える。
【００３３】
前述したように、背凭れ５の回動中心Ｃ１と着座者Ｔの股関節の可動中心Ｃ２との位置の違いから、背凭れ５の傾動時には、着座者Ｔの上体が背凭れ５に対して変位する。このとき、ヘッドレスト本体２１が着座者Ｔに対しての適正位置からずれてしまうと、着座者Ｔの快適性が損なわれる。本実施形態のヘッドレスト装置２０では、ヘッドレスト本体２１の第二頭部支持部２３が着座者Ｔの後頭部ｈ１と背中上端ｓ１との間に入り込むので、背凭れ５に対して着座者Ｔの身体の位置ずれが生じても、ヘッドレスト本体２１が自ずと着座者Ｔの身体に追従するように移動し、着座者Ｔに対しての適正位置を保つ。
【００３４】
ヘッドレスト本体２１は、バランスウェイト３２により概ね重量の釣り合いがとれているので、ヘッドレスト本体２１を位置調整するために大きな力は必要とせず、後頭部ｈ１又は背中上端ｓ１への引っ掛かりのみによっても軽く動かすことができる。このため、着座者Ｔが医療行為等により腕を動かせない状況にあっても、リクライニング等に応じてヘッドレスト本体２１の高さを容易に調節することができ、椅子装置１の快適性を向上させることができる。
【００３５】
着座者Ｔがヘッドレスト本体２１の位置を下げたい場合には、後頭部ｈ１でヘッドレスト本体２１を下方に引き下げるだけでよい。これにより、ヘッドレスト本体２１の位置が下がるとともに垂下ベルト３１を介してバランスウェイト３２の位置が上がり、ヘッドレスト本体２１を所望の高さに変位させる。
一方、着座者Ｔがヘッドレスト本体２１の位置を上げたい場合には、背中上端ｓ１でヘッドレスト本体２１を上方に押し上げるだけでよい。これにより、ヘッドレスト本体２１の位置が上がるとともにバランスウェイト３２の位置が重力により下がり、同じくヘッドレスト本体２１を所望の高さに変位させる。
【００３６】
図６に示すように、ヘッドレスト本体２１における頭部支持部１４と接触する本体側接触面２４は、例えばフッ素繊維を用いる等して滑り性を高めた生地（低摩擦材Ｚ１）で形成されている。
これにより、ヘッドレスト本体２１の本体側接触面２４と頭部支持部１４の支持部側接触面２５との間の摩擦を抑え、ヘッドレスト本体２１の高さ調整を容易にしている。なお、支持部側接触面２５に低摩擦材Ｚ１を用いたり本体側接触面２４および支持部側接触面２５の両方に低摩擦材Ｚ１を用いてもよい。
【００３７】
また、本実施形態では、垂下ベルト３１における頭部支持部１４の頂部１４ａと接触するベルト側接触面２６も、上記同様の低摩擦材Ｚ２で形成されている。
これにより、垂下ベルト３１が頭部支持部１４の頂部側接触面２７に密着するように配置されても、垂下ベルト３１のベルト側接触面２６と頭部支持部１４の頂部側接触面２７との間の摩擦を抑え、ヘッドレスト本体２１の高さ調整を容易にしている。なお、頂部側接触面２７に低摩擦材Ｚ２を用いたりベルト側接触面２６および頂部側接触面２７の両方に低摩擦材Ｚ２を用いてもよい。
【００３８】
なお、上記低摩擦材Ｚ１，Ｚ２に好適な例として、他にサテン生地、ナイロン生地等が挙げられる。椅子装置１の各部の表皮には耐アルコール性を有する合皮等が用いられるが、低摩擦となる表面処理を施した合皮を上記低摩擦材Ｚ１，Ｚ２に用いてもよい。
【００３９】
以上説明したように、上記実施形態における椅子装置１は、リクライニング可能な背凭れ５と、前記背凭れ５の背凭れ面１３の上方に設けられる頭部支持部１４の前面（頭部支持面１６）にヘッドレスト本体２１を移動可能に配置するヘッドレスト装置２０と、を備え、前記ヘッドレスト本体２１は、該ヘッドレスト本体２１の上部を形成する第一頭部支持部２２と、前記第一頭部支持部２２の下方に連なり、前記第一頭部支持部２２よりも前面側を隆起させた第二頭部支持部２３と、を備えている。
【００４０】
この構成によれば、ヘッドレスト本体２１の下部における前面側を隆起させた第二頭部支持部２３により、着座者Ｔが自身の手を用いることなく、ヘッドレスト本体２１を頭部支持部１４の前面に沿って高さ調整することができる。すなわち、第二頭部支持部２３が着座者Ｔの後頭部ｈ１と背中上端ｓ１との間の凹部に入り込んで頸椎部ｋ１を支持した状態でヘッドレスト本体２１を使用すれば、背凭れ５の傾動時に背凭れ５と着座者Ｔの身体との間に位置ずれが生じても、着座者Ｔが第二頭部支持部２３を後頭部ｈ１の隆起で押し下げる又は背中上端ｓ１の隆起で押し上げることが可能となり、背凭れ５の傾動時における背凭れ５と着座者Ｔの身体との位置ずれに追従してヘッドレスト本体２１を適正高さに容易に調整することができる。
【００４１】
また、上記椅子装置１では、前記第一頭部支持部２２は、着座者Ｔの後頭部ｈ１に沿うように凹状に形成され、前記第二頭部支持部２３は、着座者Ｔの頸椎部ｋ１に沿うように凸状に形成されている。
この構成によれば、第一頭部支持部２２および第二頭部支持部２３が着座者Ｔの後頭部ｈ１および頸椎部ｋ１に沿うように滑らかに連続して形成されるため、着座者Ｔの感触を良好にすることができる。
【００４２】
また、上記椅子装置１では、前記ヘッドレスト本体２１における前記頭部支持部１４と接触する本体側接触面２４、および前記頭部支持部１４における前記ヘッドレスト本体２１と接触する支持部側接触面２５の少なくとも一方は、低摩擦材Ｚ１で形成されている。
この構成によれば、ヘッドレスト本体２１の本体側接触面２４と頭部支持部１４の支持部側接触面２５との間には、着座者Ｔの頭部の支持反力によって垂直抗力が作用するが、これらの接触面の少なくとも一方を滑り性のある生地で形成することで、接触面間の摩擦を抑えてヘッドレスト本体２１のスムーズな高さ調整を実現することができる。
【００４３】
また、上記椅子装置１では、前記ヘッドレスト装置２０は、前記ヘッドレスト本体２１から延び、前記頭部支持部１４の頂部１４ａを跨いで後方側に垂下する垂下ベルト３１と、前記垂下ベルト３１の下端部に保持されるバランスウェイト３２と、を有し、前記頂部１４ａにおける前記垂下ベルト３１と接触する頂部側接触面２７、および前記垂下ベルト３１における前記頂部１４ａと接触するベルト側接触面２６の少なくとも一方は、低摩擦材Ｚ２で形成されている。
この構成によれば、ヘッドレスト本体２１とバランスウェイト３２とを釣り合わせる垂下ベルト３１のベルト側接触面２６と頭部支持部１４の頂部側接触面２７とは、ヘッドレスト本体２１およびバランスウェイト３２の重量により互いに密着するが、これらの接触面の少なくとも一方を滑り性のある生地で形成することで、接触面間の摩擦を抑えてヘッドレスト本体２１のスムーズな高さ調整を実現することができる。
【００４４】
また、上記椅子装置１では、前記頭部支持部１４の左右両側に、前面側に起立する左右一対の遮蔽部１５を備え、前記左右一対の遮蔽部１５は、前記ヘッドレスト本体２１の高さ調整時の移動を案内可能である。
この構成によれば、着座者Ｔがヘッドレスト本体２１を視認せずに該ヘッドレスト本体２１の高さ調整を行う際にも、ヘッドレスト本体２１の左右のずれを抑えることができる。
【００４５】
なお、本発明は上記実施形態に限られるものではなく、例えば、ヘッドレスト本体をバランスウェイトを用いて所定位置に保持する構成に限らず、ヘッドレスト本体をガイドレール等の機構を用いて所定位置に保持する構成であってもよい。ヘッドレスト本体を幅広にして着座者の肩口に当接させ、該肩口でもヘッドレスト本体を高さ調整可能としてもよい。ヘッドレスト本体の左右両側に隆起部を形成し、該隆起部を後頭部で押すことでヘッドレスト本体の左右位置を調整可能としてもよい。
そして、上記実施形態における構成は本発明の一例であり、当該発明の要旨を逸脱しない範囲で種々の変更が可能である。
【符号の説明】
【００４６】
１  椅子装置
５  背凭れ
１３  背凭れ面
１４  頭部支持部
１４ａ  頂部
１５  遮蔽部（突出部）
１６  頭部支持面（前面）
２０  ヘッドレスト装置
２１  ヘッドレスト本体
２２  第一頭部支持部
２３  第二頭部支持部
２４  本体側接触面
２５  支持部側接触面
２６  ベルト側接触面
２７  頂部側接触面
３１  垂下ベルト
３２  バランスウェイト
Ｔ  着座者
ｈ１  後頭部
ｋ１  頸椎部
Ｚ１，Ｚ２  低摩擦材
【図１】
0006736817.tif 000002
【図２】
0006736817.tif 000003
【図３】
0006736817.tif 000004
【図４】
0006736817.tif 000005
【図５】
0006736817.tif 000006
【図６】
0006736817.tif 000007